(57)【要約】      （修正有）【課題】筐体内部の温度を保つ保温機能を備える映像記録装置を提供する。【解決手段】送風機１０５は、筐体１００内部の空気を外部に排出する。送風機蓋１０６は、送風機１０５が稼働することで送風機蓋１０６が開き、送風機１０５が停止することで送風機蓋１０６が閉じる。吸引口１０７は、送風機１０５により送風機蓋１０６が開いて筐体１００の内部の空気が外部に放出されることにより、外部の空気を筐体１００の内部に吸い込む複数の開口穴である。吸引口蓋１０８は、筐体１００の内側に取り付けられている吸引口１０７を塞ぐことができる蓋である。吸引口１０７から外部の空気が筐体１００の内部に吸い込まれることによって、吸引口蓋１０８が内側に押し込まれ、吸引口蓋１０８が開く。送風機１０５が停止すると、吸引口１０７が外部の空気を筐体１００の内部に吸い込まなくなるので、吸引口１０７を塞ぐように吸引口蓋１０８が閉じる。【選択図】図１
2014086110.tif 000002
【特許請求の範囲】
【請求項１】
映像データを記録する記録媒体を備える映像記録装置において、
前記映像記録装置の筐体には、前記記録媒体、送風機、送風機の蓋、吸引口、及び吸引口蓋が搭載され、
前記送風機が稼働しないときに前記送風機の蓋及び前記吸引口の蓋が閉口して前記筐体を密封することで前記記録媒体を保温することを特徴とする映像記録装置。
【発明の詳細な説明】
【技術分野】
【０００１】
本発明は、映像データを記録する映像記録装置に係り、特に温度変化や低温環境における動作不良や故障を防止することができる映像記録装置に関する。
【背景技術】
【０００２】
映像記録装置において、映像データを記録するための記録媒体に安価で大容量のデータを記録できるＨＤＤ(Hard disk drive)が用いられている。しかし、ＨＤＤは、温度変化に敏感で、急激な温度変化にさらされると寿命を著しく短くし、最悪の場合は故障することがある。また、ＨＤＤを用いている記録媒体を低温環境に置いた状態で電源が投入されると、動作不良や故障が発生することがある。従って、温度が一定に保たれている屋内などに設置され常に稼働している映像記録装置の記録媒体にＨＤＤが用いられているときには、ＨＤＤは温度変化にさらされることがなく、低温環境で使用されることがなく、また電源を落とすことないため、動作不良や故障の発生が少ない。しかし、車、電車、または新幹線などの車両に設置される映像記録装置は、車両が運転されるときに映像記録装置に電源が投入され、また、車両が車庫などで停車しているときには映像記録装置の電源は落とされる。このように、屋外や車庫などの温度が一定に保たれていない場所に停車している車両などに取り付けられている映像記録装置は、気温の影響を受ける。このため、外気が低温になると映像記録装置も低温となり、映像記録装置の記録媒体も低温になり、記録媒体にＨＤＤを用いているときにはＨＤＤも低温となる。従って、低温環境に置かれて低温となったＨＤＤに電源が投入されると、ＨＤＤが正常に動作しないなどの動作不良が発生し、最悪の場合はＨＤＤが故障してしまいＨＤＤを交換しなければならなかった。この対策として、車両に取り付けられる映像記録装置の記録媒体に温度変化や低温環境でも使用可能な車載用仕様のＨＤＤを用いることがある。しかし、車載用仕様のＨＤＤは、大容量のデータを記録できないので、運転時間が短い車両などに取り付けられる映像記録装置の記録媒体として用いられている。また、車両に取り付けられる映像記録装置の記録媒体にＳＳＤ(Solid State Drive)といった半導体メモリの記録媒体を用いることがある。しかし、ＳＳＤも大容量のデータを記録できないので、複数のＳＳＤを繋ぎ合わせることで大容量の映像データを記録できるようにしている。
【０００３】
映像記録装置が厳しい温度条件下でもＨＤＤを使用可能とする技術として特開２０１１−３２２２号公報（特許文献１）を挙げることができる。特許文献１に開示の技術では、映像記録装置の温度検出手段により検出された温度が所定の範囲外である場合には、ＨＤＤが低温状態では正常に起動することができないと診断し、ＨＤＤが温まるまでＨＤＤを記録不可とし、ＳＳＤに記録する。温度調整手段によりＨＤＤの温度を調整することで検出された温度が所定の範囲内となった場合に、ＨＤＤの電源がオフであればオンにしてＨＤＤを記録可能とし、ＳＤＤに記録したデータをＨＤＤに記録する映像記録装置が記載されている。
【先行技術文献】
【特許文献】
【０００４】
【特許文献１】特開２０１１−３２２２号公報
【発明の概要】
【発明が解決しようとする課題】
【０００５】
上述したように、車載用仕様のＨＤＤは大容量のデータを記録できない。また、ＳＳＤは、複数のＳＳＤを繋ぎ合わせることによりＨＤＤのように大容量とすることも可能だが、ＳＳＤは高価であるので複数のＳＳＤを用いることで映像記録装置のコストが高くなる。また、特許文献１に開示の技術では、映像記録装置のＨＤＤが低温状態に置かれているときには、正常に起動ができないことがあるので、温度調整手段により温度を調整してＨＤＤの温度が所定の範囲内に温まるまで映像データをＳＳＤに記録している。このため、ＨＤＤの他に更に高価なＳＳＤが必要となるので映像記録装置のコストが高くなり、また、ＳＳＤに記憶してからＨＤＤにも記憶するため処理が複雑となる。
【０００６】
本発明はこのような状況に鑑みてなされたものであり、上記課題を解決できる映像記録装置を提供することを目的とする。
【課題を解決するための手段】
【０００７】
本発明の映像記録装置は、映像データを記録する記録媒体を備える映像記録装置において、前記映像記録装置の筐体には、前記記録媒体、送風機、送風機の蓋、吸引口、及び吸引口蓋が搭載され、前記送風機が稼働しないときに前記送風機の蓋及び前記吸引口の蓋が閉口して前記筐体を密封することで前記記録媒体を保温することを特徴としている。
【発明の効果】
【０００８】
本発明の映像記録装置は、急激な温度変化や低温状態に置かれているときでも映像記録装置の筐体内部の温度を保つ保温機能を備えることで、映像記録装置に搭載される記録媒体の寿命を長くし、故障を防止することができる。
【図面の簡単な説明】
【０００９】
【図１】本発明の実施形態に係る映像記録装置の筐体に搭載される機器を示す図である。
【図２】本発明の実施形態に係る映像記録装置の筐体に搭載される送風機と送風機蓋の構造を示す図である。
【図３】本発明の実施形態に係る映像記録装置の筐体に搭載される吸引口と吸引口蓋の構造を示す図である。
【発明を実施するための形態】
【００１０】
以下、本発明を実施するための形態（以下、「実施形態」という）について、図面を参照して説明する。実施形態は、ＨＤＤを用いている記録媒体が搭載されている映像記録装置の筐体に送風機と吸引口を設け、また送風機と吸引口には蓋が取り付ける。このような映像記録装置の筐体において、映像記録装置に電源が投入されると、送風機が回転することで送風機の蓋が開口され筐体内部の空気が外に排気される。この筐体内部の空気の流れにより吸引口に取り付けられている蓋が内側に開口される。また、映像記録装置の電源が落とされると、送風機の回転が停止することで送風機の蓋が閉口され筐体内部の空気が外に排気されなくなる。そして、筐体内部の空気の流れが止まることで、吸引口に取り付けられている蓋が閉じられる。このように、映像記録装置の電源が落とされたときに送風機の蓋と吸引口の蓋が閉じられ筐体が密閉されることで、筐体に搭載される記憶媒体であるＨＤＤの温度変化や温度低下を防止するものである。
【００１１】
本発明の実施形態に係る映像記録装置１０の機器が搭載されている筐体（以下、「筐体」という）１００の構造について、図１を用いて説明する。筐体１００は、内側壁面１００ａと外側壁面１００ｂからなる二重構造であり、内側壁面１００ａと外側壁面１００ｂの間が真空となっているので、外部の気温などによる温度変化や温度低下の影響から筐体１００に搭載されている機器を保護することができる。筐体１００には、図１に示すようにメイン制御部１０１、記録媒体１０２、ＡＣ−ＤＣ電源１０３、温度測定器１０４、送風機１０５、送風機蓋１０６、吸引口１０７、吸引口蓋１０８、ＡＣ電源ケーブル１０９、ＬＡＮ通信回線１１０、ＤＣ電源ケーブル１１１、送風機回線１１２、ＳＡＴＡ（Serial ATA）回線１１３、及び温度測定器回線１１４が搭載されている。以下、筐体１００に搭載されている機器及び部品について説明する。
【００１２】
メイン制御部１０１は、映像記録装置１０の機能を制御するＣＰＵ(Central Processing Unit)であり、ＬＡＮ通信回線１１０を経由して撮影装置（図示せず）から送信された映像データを受信し、記録媒体１０２に格納する。また、メイン制御部１０１は、予め決められた周期、または転送要求を受け付けたときには、記録媒体１０２に格納されている映像データを取り出し、取り出した映像データを圧縮してＬＡＮ通信回線１１０を経由して指定された装置に送信する。また、メイン制御部１０１は、送風機１０５のファンの回転数をパルスの周期で確認し、温度測定器１０４が測定する記憶媒体１０２の発熱温度に基づいて送風機１０５のファンの回転数を制御する。
【００１３】
記録媒体１０２は、映像データを記録するＨＤＤから構成されている。記録媒体１０２は、メイン制御部１０１からの制御により、メイン制御部１０１から出力される映像データをＨＤＤに格納し、また、ＨＤＤに格納されている映像データをメイン制御部１０１に出力する。
【００１４】
ＡＣ−ＤＣ電源１０３は、ＡＣ電源ケーブル１０９から交流電圧である商用電源を受電し、直流電圧に変換し、筐体１００に搭載されている各機器にＤＣ電源ケーブル１１１により必要な電源を供給する。
【００１５】
温度測定器１０４は、記録媒体１０２に取り付けられる機器で、記録媒体１０２の発熱温度を熱電対などにより測定し、測定した温度を温度測定器回線１１４を経由してメイン制御部１０１に出力する。
【００１６】
送風機１０５は、ファンと電動機が一体化された装置であり、筐体１００内部の空気を循環し、外部に排出する。映像記録装置１０が稼働しているときには、送風機１０５により、メイン制御部１０１、記録媒体１０２、及びＡＣ−ＤＣ電源１０３から発熱される熱が外部に放出される。送風機１０５の詳細の構造については、後述する。
【００１７】
送風機蓋１０６は、送風機１０５を塞ぐことができる蓋である。映像記録装置１０の電源が投入されているときは、送風機１０５の送風により筐体１００の内部の暖かい空気を外部に放出するために送風機蓋１０６が開くが、電源が落とされると送風機１０５が停止することで送風機蓋１０６が閉じる。送風機蓋１０６の詳細の構造については、後述する。
【００１８】
吸引口１０７は、送風機１０５により送風機蓋１０６が開いて筐体１００の内部の空気が外部に放出されることによって筐体１００の内部の圧力が減圧すると、外部の空気からの圧力によって外部の空気を筐体１００の内部に吸い込む複数の開口穴である。吸引口１０７の詳細の構造については、後述する。
【００１９】
吸引口蓋１０８は、吸引口１０７に対して筐体１００の内側に取り付けられている吸引口１０７を塞ぐことができる蓋である。吸引口１０７から外部の空気が筐体１００の内部に吸い込まれることによって、吸引口蓋１０８が内側に押し込まれ、吸引口蓋１０８が開く。また、送風機１０５が停止すると、吸引口１０７が外部の空気を筐体１００の内部に吸い込まなくなるので、吸引口蓋１０８が元の位置に戻ることによって、吸引口１０７を塞ぐように吸引口蓋１０８が閉じる。吸引口蓋１０８の詳細の構造については、後述する。
【００２０】
ＡＣ電源ケーブル１０９は、ＡＣ−ＤＣ電源１０３に接続され、商用電源から交流電源を入力する電源ケーブルである。また、ＡＣ電源ケーブル１０９のコネクタについて、防水処理が施されたものを使用することで、外部の温度変化や温度低下の影響から筐体１００に搭載されている機器を保護することができる。
【００２１】
ＬＡＮ通信回線１１０は、メイン制御部１０１に接続され、Ethernet(登録商標）などのLANの規格を用いて、ネットワークに接続されている装置とメイン制御部１０１とのデータ通信を行うための通信回線である。また、ＬＡＮ通信回線１１０のコネクタについて、車載用で防水処理が施されたものを使用することで、外部の温度変化や温度低下の影響から筐体１００に搭載されている機器を保護することができる。
【００２２】
ＤＣ電源ケーブル１１１は、メイン制御部１０１、記録媒体１０２、及びＡＣ−ＤＣ電源１０３に接続され、ＡＣ−ＤＣ電源１０３により直流電圧に変換された電源をメイン制御部１０１と記録媒体１０２に供給する電源ケーブルである。
【００２３】
送風機回線１１２は、メイン制御部１０１に接続され、メイン制御部１０１から供給される送風機１０４の電源を送電する電源ケーブルである。また、送風機回線１１２は、送風機１０５から出力されるファンの回転数のデータ、及びメイン制御部１０１から出力されるファンの回転数を制御するためのデータを伝送する通信回線である。
【００２４】
ＳＡＴＡ回線１１３は、Ultra ATAなどの現在のATA仕様で採用されていたパラレル転送方式を、シリアル転送方式に変更した通信規格を用いる伝送回線で、記録媒体１０２に格納されている映像データを伝送する通信回線である。
【００２５】
温度測定器回線１１４は、温度測定器１０４から出力される記録媒体１０２の発熱温度のデータをメイン制御部１０１に伝送する通信回線である。
【００２６】
次に、送風機１０５と送風機蓋１０６の構造について、説明する。図２に示すように、送風機１０５は、筐体１００に設けられる送風機１０５のための開口部に取り付けられる。送風機１０５の縁１０５ａはゴム等の素材で覆われている。送風機蓋１０６は、送風機１０５を覆うことができる大きさである。送風機蓋１０６の一部が送風機１０５の上端に固定され、送風機１０５のファンが回転することで送風機１０５が送風機蓋１０６を押し上げ、筐体１００の開口部を開口する。また、送風機１０５が停止することで、送風機１０５の開口部を送風機蓋１０６が塞ぎ、更に送風機１０５の筐体１００に接する送風機１０５の縁１０５ａがゴム等の素材で覆われていることで、筐体１００と送風機蓋１０６が密着し、筐体１００の開口部から空気が漏れることを防止する。
【００２７】
次に、吸引口１０７と吸引口蓋１０８の構造について、説明する。図３に示すように、筐体１００に設けられる複数の開口穴が吸引口１０７である。吸引口１０７の縁１０７ａはゴム等の素材で覆われている。吸引口蓋１０８は、筐体１００の内側に設けられ、複数の吸引口１０７を覆うことができる大きさである。吸引口蓋１０８の上辺が筐体１００の内側に固定され、送風機１０５のファンの回転により送風機蓋１０６が開いて筐体１００の内部の空気が外部に放出され、吸引口１０７が外部の空気を吸い込むことで吸引口蓋１０８を内側に上辺を中心として回転するように押し上げ、吸引口１０７を開口する。また、送風機１０５が停止することで、吸引口蓋１０８が吸引口１０７の開口部を塞ぎ、更に吸引口１０７の縁１０７ａがゴム等の素材で覆われていることで、筐体１００と吸引口蓋１０８が密着し、吸引口１０７の開口部から空気が漏れることを防止する。
【００２８】
以上により、本発明の映像記録装置１０において、記録媒体１０２にＨＤＤを用いた場合でも、外部の急激な温度変化や温度低温に対して筐体１００の内部の温度を保つ保温機能を備えることができる。この保温機能により、低温環境に置かれて低温となったＨＤＤに電源が投入された場合でも、ＨＤＤが正常に動作しないなどの動作不良を防止することができ、またＨＤＤの寿命を延ばすことができる。更に、ＨＤＤは安価にもかかわらず大容量のデータを記録することができるので、大容量のデータが記録可能なＨＤＤを用いることで、映像記録装置１０のコストを押さえることができる。
【００２９】
なお、実施形態においては、温度測定器１０４が測定した記録媒体１０２の発熱温度に基づいてメイン制御部１０１が送風機１０５の回転数を制御するようにしたが、例えば、メイン制御部１０１が記録媒体１０２の発熱温度をLAN通信回線１１０を経由してオペレータ装置などに通知し、オペレータ装置からの指令を受信して制御することも可能である。
【００３０】
以上をまとめると、本発明は次のような特徴を有する。
（１） 本発明の映像記録装置は、映像データを記録する記録媒体を備える映像記録装置において、前記映像記録装置の筐体には、前記記録媒体、送風機、送風機の蓋、吸引口、及び吸引口蓋が搭載され、前記送風機が稼働しないときに前記送風機の蓋及び前記吸引口の蓋が閉口して前記筐体を密封することで前記記録媒体を保温することを特徴としている。
（２） （１）の本発明の映像記録装置の前記筐体には前記記録媒体の温度を測定する温度測定器が搭載され、前記温度測定器が測定した温度により前記送風機の回転数が制御されることを特徴としている。
（３） （１）または（２）の本発明の映像記録装置の前記筐体の壁面は、空間が真空である２つの面で構成されていることを特徴としている。
（４） （１）から（３）のいずれかの本発明の映像記録装置の前記送風機の縁はゴム素材で形成され、前記送風機の蓋が閉口したときに前記筐体と前記送風機の蓋が密着することを特徴としている。
（５） （１）から（３）のいずれかの本発明の映像記録装置の前記吸引口の縁はゴム素材で形成され、前記吸引口の蓋が閉口したときに前記筐体と前記吸引口の蓋が密着することを特徴としている。
（６） （１）から（５）のいずれかの本発明の映像記録装置に接続されている電源ケーブルのコネクタは防水処理が施されていることを特徴としている。
（７） （１）から（６）のいずれかの本発明の映像記録装置に接続されているＬＡＮ通信回線のコネクタは防水処理が施されていることを特徴としている。
（８） （１）から（７）のいずれかの本発明の映像記録装置の前記録媒体は、ＨＤＤであることを特徴としている。
【００３１】
以上のような本発明の映像記録装置によれば、急激な温度変化や低温状態に置かれているときでも映像記録装置の筐体内部の温度を保つ保温機能を備えることで、映像記録装置に搭載されるＨＤＤが急激な温度変化や低温環境に置かれた場合でもＨＤＤの寿命を長くし、故障を防止することができる。
【００３２】
具体的な実施の形態により本発明を説明したが、上記実施の形態は本発明の例示であり、この実施の形態に限定されないことは言うまでもない。
【産業上の利用可能性】
【００３３】
本発明は、温度環境により影響を受ける機器を搭載する装置に適用することができる。
【符号の説明】
【００３４】
１０・・・・・・・映像記録装置
１００・・・・・・・筐体
１００ａ・・・・・・内側壁面
１００ｂ・・・・・・外側壁面
１０１・・・・・・・メイン制御部（ＣＰＵ）
１０２・・・・・・・記録媒体（ＨＤＤ）
１０３・・・・・・・ＡＣ−ＤＣ電源
１０４・・・・・・・温度測定器
１０５・・・・・・・送風機
１０５ａ・・・・・・縁
１０６・・・・・・・送風機蓋
１０７・・・・・・・吸引口
１０７ａ・・・・・・縁
１０８・・・・・・・吸引口蓋
１０９・・・・・・・ＡＣ電源ケーブル
１１０・・・・・・・LAN通信回線
１１１・・・・・・・ＤＣ電源ケーブル
１１２・・・・・・・送風機回線
１１３・・・・・・・ＳＡＴＡ回線
１１４・・・・・・・温度測定器回線
【図１】
2014086110.tif 000003
【図２】
2014086110.tif 000004
【図３】
2014086110.tif 000005